(57)【要約】【課題】  相手側に送信する原稿中に複写禁止頁があるとき、当該複写禁止頁があることを受信者側において把握し易くする。【解決手段】  画像読込手段９は原稿を読み込んで画像データを生成する。記憶手段１１は生成画像データを記憶する。パターン情報検知手段１３は記憶された画像データ中に複写禁止頁を示すパターン情報が存在するか否かを検知する。レポート作成手段１７はパターン情報の存在が検知されたとき、読込まれた複写禁止頁に係るレポートを作成する。送信手段２１は、受信側機器で扱うプロトコルと同じプロトコルで、それら画像データおよび連絡情報を送信する。【選択図】  図１
2008135924.tif 000002
【特許請求の範囲】
【請求項１】
原稿を読み込んで画像データを生成する画像読込手段と、
生成された前記画像データを記憶する記憶手段と、
記憶された前記画像データ中に複写禁止頁を示すパターン情報が存在するか否かを検知し、前記パターン情報の存在が検知されたとき、前記複写禁止頁が含まれる旨を示す連絡情報を出力するパターン情報検知手段と、
検出された前記複写禁止頁を同一濃度の画像データに変換する画像データ変換手段と、
前記画像データおよび連絡情報をネットワークを介し受信側機器で扱うプロトコルと同じプロトコルで送信する送信手段と、
を具備することを特徴とする画像処理装置。
【請求項２】
前記送信手段はファクシミリ送信するものである請求項１記載の画像処理装置。
【請求項３】
前記画像データ変換手段は前記複写禁止頁を白紙画像データに変換するものである請求項１又は２記載の画像処理装置。
【請求項４】
前記連絡情報は前記複写禁止頁を内容とするものである請求項１〜３いずれか１記載の画像処理装置。
【請求項５】
ネットワークを介し画像データとこの画像データ中に複写禁止頁が含まれる旨の連絡情報とを送信側機器で扱うプロトコルと同じプロトコルで受信する受信手段と、
受信された前記連絡情報から前記複写禁止頁に係るレポートを作成するレポート作成手段と、
前記画像データおよびレポートを記憶する記憶手段と、
記憶された前記画像データおよびレポートを印刷する印刷手段と、
を具備することを特徴とする画像処理装置。
【請求項６】
前記受信手段はファクシミリ受信するものである請求項５記載の画像処理装置。
【請求項７】
前記印刷手段は前記レポートを前記画像データの前又は後に連続印刷するものである請求項５又は６記載の画像処理装置。
【請求項８】
前記画像データおよびレポートを表示する表示手段を有する請求項５〜７いずれか１記載の画像処理装置。
【請求項９】
原稿を読み込んで生成した画像データをネットワークを介して送信処理する画像処理用コンピュータに、
前記原稿を読込んで前記画像データを生成する画像読込処理と、
生成された前記画像データを記憶する記憶処理と、
記憶された前記画像データ中に複写禁止頁を示すパターン情報の有無を検知し、前記複写禁止頁の存在を検出したとき、前記複写禁止頁が含まれる旨を示す連絡情報を出力するパターン情報検知処理と、
検出された前記複写禁止頁を同一濃度の画像データに変換する画像データ変換処理と、
前記画像データおよび連絡情報を前記ネットワークを介し受信側機器で扱うプロトコルと同じプロトコルで送信する送信処理と、
を実行させることを特徴とする画像処理プログラム。
【請求項１０】
前記送信処理はファクシミリ送信処理である請求項９記載の画像処理プログラム。
【請求項１１】
前記画像データ変換処理は前記複写禁止頁を白紙画像データに変換する請求項９又は１０記載の画像処理プログラム。
【請求項１２】
前記連絡情報は前記複写禁止頁を内容とする請求項９〜１１いずれか１記載の画像処理プログラム。
【請求項１３】
ネットワークを介し画像データとこの画像データ中に複写禁止頁が含まれる旨の連絡情報とを受信して画像処理する画像処理用コンピュータに、
前記画像データと連絡情報とを送信側機器で扱うプロトコルと同じプロトコルで受信する受信処理と、
受信された前記連絡情報から前記複写禁止頁に係るレポートを作成するレポート作成処理と、
前記画像データおよびレポートを記憶する記憶処理と、
記憶された前記画像データおよびレポートを印刷する印刷処理と、
を実行させることを特徴とする画像処理プログラム。
【請求項１４】
前記受信処理はファクシミリ受信する請求項１３記載の画像処理プログラム。
【請求項１５】
前記印刷処理は前記レポートを受信画像データの前又は後に連続印刷実行する請求項１３又は１４記載の画像処理プログラム。
【請求項１６】
前記画像データおよびレポートを表示する表示処理を実行する請求項１３〜１５いずれか１記載の画像処理プログラム。
【請求項１７】
前記請求項９〜１６いずれか１記載の画像処理プログラムを記憶することを特徴とする記憶媒体。
【発明の詳細な説明】
【技術分野】
【０００１】
本発明は画像処理装置、画像処理プログラムおよび記憶媒体に係り、複写抑止機能を搭載したファクシミリ機又はこの複合機（ＭＦＰ：Multi Function Peripheral）に用いて好適する画像処理装置、画像処理プログラムおよび記憶媒体の改良に関する。
【背景技術】
【０００２】
近年、市場における文書セキュリティ向上の要求に応えるため、複写（コピー）を禁止する文書であることを示すパターン情報を予め原稿に埋め込んでおき、そのパターン情報が検出された場合、何らかの手段で複写を抑止する機能を搭載したファクシミリ機や複合機等が製品化されている。
【０００３】
すなわち、図８Ａに示すように、用紙１に対し、小さなドットからなる背景領域３ａと、この背景領域３ａ中に埋め込まれた若干大きなドットからなり複写を禁止する趣旨のメッセージ情報３ｂ（同図Ａでは見えない）とからなるパターン情報５を印刷するとともに、さらに当該用紙１に目的の文書内容を印刷して例えば「契約書」を作成する。
【０００４】
この印刷済み用紙１を複写機で複写すると、図８Ｂに示すように、複写物１ａには背景領域３ａ中に埋め込んだ「複写禁止」といったメッセージ情報３ｂが黒く浮かび上がったり、同図Ｃに示すように、複写物１ｂに背景領域３ａが浮かび上がってメッセージ情報３ｂが白抜き状態になり、複写操作者に対してその印刷済み用紙１が複写禁止されているものである旨を間接的に告知し、複写を抑制している。
【０００５】
複写物１ａにおいて、背景領域３ａ中に埋め込んだメッセージ情報３ｂが、図８Ｂのように黒く浮かび上がる理由は、背景領域３ａを図９Ａのような小さなドットｄ１にする一方、メッセージ情報３ｂを同図Ｂのようにドットｄ１より大きなドットｄ２で埋め込むことにより、小さなドットｄ１が大きなドットｄ２より複写再現され難いことによる。
【０００６】
複写物１ｂにおいて、背景領域３ａが図８Ｃのように黒く浮かび上がる場合は、逆に、背景領域３ａを図９Ｂのような大きなドットｄ２とし、メッセージ情報３ｂを図９Ａのような小さなドットｄ１にすることによって得られる。
【０００７】
そして、従来、背景領域３ａ中に複写禁止を示すメッセージ情報３ｂが埋め込まれた印刷済み用紙１を複写機で複写した場合、当該複写禁止頁の画像データを印刷出力させないことによって文書セキュリティを確保する構成、例えば特開２００５−１４２９１８号公報（特許文献１）が提案されている。
【０００８】
この構成は、画像読込手段で原稿画像を読み取った画像データから、ドットパターン検出手段によってその画像データに含まれる背景画像又は画像に埋め込まれたドットパターンを検出し、この検出したドットパターンと予め設定されたドットパターンとをドットパターン判定手段によって比較し、互いの同一性が判定された場合、当該装置が具備する複写機能等の画像データ再現機能を規制する構成を有し、例えば機密文書を複写させなかったり白色化頁にして機密文書の不正流出を防止するものである。
【特許文献１】特開２００５−１４２９１８号公報
【発明の開示】
【発明が解決しようとする課題】
【０００９】
しかしながら、上述した特許文献１では、複写禁止頁と禁止されない頁が混在する原稿をファクシミリ送信しても、送信側において複写禁止頁が送信されたことに気付かないことが多く、文書セキュリティの確保の観点から好ましくない。
【００１０】
さらに、複写禁止頁と複写可能頁が混在する原稿であるか否かは、原稿作成者以外には分かり難く、受信者側においてもある頁が印刷出力されなかったり白紙状態で出力されると、例えばファクシミリ機が故障していると誤認する可能性もあり、不要なメンテナンスが求められて管理上不都合になり易い。
【００１１】
特に、ファクシミリ送受信においては送信者と受信者が離れているから、改善が望まれていた。
【００１２】
本発明はそのような課題を解決するためになされたもので、送信した原稿中に複写禁止頁があることを把握し易くした画像処理装置、画像処理プログラムおよび記憶媒体の提供を目的とする。
【課題を解決するための手段】
【００１３】
そのような課題を解決するために本発明に係る送信側の画像処理装置は、原稿を読み込んで画像データを生成する画像読込手段と、生成された画像データを記憶する記憶手段と、記憶された画像データ中に複写禁止頁を示すパターン情報が存在するか否かを検知し、そのパターン情報の存在が検知されたとき複写禁止頁が含まれる旨を示す連絡情報を出力するパターン情報検知手段と、検出された複写禁止頁を同一濃度の画像データに変換する画像データ変換手段と、それら画像データおよび連絡情報をネットワークを介し受信側機器で扱うプロトコルと同じプロトコルで送信する送信手段とを具備している。
【００１４】
本発明の画像処理装置では、上記送信手段がファクシミリ送信するものである構成も可能である。
【００１５】
本発明の画像処理装置では、上記画像データ変換手段がその複写禁止頁を白紙画像データに変換するものである構成も可能である。
【００１６】
本発明の画像処理装置では、上記連絡情報が複写禁止頁を内容とするものである構成も可能である。
【００１７】
本発明に係る受信側の画像処理装置は、ネットワークを介し画像データとこの画像データ中に複写禁止頁が含まれる旨の連絡情報とを送信側機器で扱うプロトコルと同じプロトコルで受信する受信手段と、受信された連絡情報からその複写禁止頁に係るレポートを作成するレポート作成手段と、それら画像データおよびレポートを記憶する記憶手段と、記憶された画像データおよびレポートを印刷する印刷手段とを具備している。
【００１８】
本発明の画像処理装置では、上記受信手段がファクシミリ受信するものである構成も可能である。
【００１９】
本発明の画像処理装置では、上記印刷手段がそのレポートを画像データの前又は後に連続印刷するものである構成も可能である。
【００２０】
本発明の画像処理装置では、上記画像データおよびレポートを表示する表示手段を有する構成も可能である。
【００２１】
本発明に係る送信側の画像処理プログラムは、原稿を読み込んで生成した画像データをネットワークを介して送信処理する画像処理用コンピュータに、その原稿を読込んで画像データを生成する画像読込処理と、生成された画像データを記憶する記憶処理と、記憶された画像データ中に複写禁止頁を示すパターン情報の有無を検知し、その複写禁止頁の存在を検出したときその複写禁止頁が含まれる旨を示す連絡情報を出力するパターン情報検知処理と、検出された複写禁止頁を同一濃度の画像データに変換する画像データ変換処理と、それら画像データおよび連絡情報をそのネットワークを介し受信側機器で扱うプロトコルと同じプロトコルで送信する送信処理とを実行させるものである。
【００２２】
本発明の画像処理プログラムでは、上記送信処理がファクシミリ送信処理である構成も可能である。
【００２３】
本発明の画像処理プログラムでは、上記画像データ変換処理がその複写禁止頁を白紙画像データに変換する構成も可能である。
【００２４】
本発明の画像処理プログラムでは、上記連絡情報がその複写禁止頁を内容とする構成も可能である。
【００２５】
本発明に係る受信側の画像処理プログラムでは、ネットワークを介し画像データとこの画像データ中に複写禁止頁が含まれる旨の連絡情報とを受信して画像処理する画像処理用コンピュータに、それら画像データと連絡情報とを送信側機器で扱うプロトコルと同じプロトコルで受信する受信処理と、受信された連絡情報からその複写禁止頁に係るレポートを作成するレポート作成処理と、それら画像データおよびレポートを記憶する記憶処理と、記憶された画像データおよびレポートを印刷する印刷処理とを実行させるものである。
【００２６】
本発明の画像処理プログラムでは、上記受信処理がファクシミリ受信する構成も可能である。
【００２７】
本発明の画像処理プログラムでは、上記印刷処理がそのレポートを受信画像データの前又は後に連続印刷実行する構成も可能である。
【００２８】
本発明の画像処理プログラムでは、上記画像データおよびレポートを表示する表示処理を実行する構成も可能である。
【００２９】
さらに、本発明の記憶媒体は、それらいずれかの画像処理プログラムを記憶するものである。
【発明の効果】
【００３０】
このような本発明に係る送信側の画像処理装置では、送信した原稿中に複写禁止頁があることを把握し易い。
【００３１】
そして、上記送信手段がファクシミリ送信するものである構成では、特に、ファクシミリ送信において原稿中に複写禁止頁があることを把握し易い。
【００３２】
また、上記画像データ変換手段がその複写禁止頁を白紙画像データに変換するものである構成では、複写禁止頁の具体的内容が送信され難い。
【００３３】
さらに、上記連絡情報が複写禁止頁を内容とするものである構成では、具体的に複写禁止頁が分かり易い。
【００３４】
本発明に係る受信側の画像処理装置は、受信側において受信原稿中に複写禁止頁があることを把握し易い。
【００３５】
そして、上記受信手段がファクシミリ受信するものである構成では、特に、ファクシミリ受信において原稿中に複写禁止頁があることを受信側において把握し易い。
【００３６】
また、上記印刷手段がそのレポートを画像データの前又は後に連続印刷するものである構成では、受信側において受信原稿中に複写禁止頁があることを明示的に把握し易い。
【００３７】
さらに、上記画像データおよびレポートを表示する表示手段を有する構成でも、受信側において受信原稿中に複写禁止頁があることを明示的かつ簡易的に把握し易い。
【００３８】
そして、本発明に係る送信側および受信側の画像処理プログラムは、送信側および受信側の画像処理装置と同様な効果を得ることが可能である。
【００３９】
さらに、本発明の記憶媒体では、それらいずれかの画像処理プログラムを記憶するから、それら画像処理プログラムを有体物の形態で扱える。
【発明を実施するための最良の形態】
【００４０】
以下、本発明に係る実施の形態を図面を参照して説明する。
【００４１】
図１は本発明に係る画像処理装置の実施の一形態を、例えばファクシミリ機を例にして示すブロック図である。本発明に係る画像処理プログラムおよびこれを格納した記憶媒体は、画像処理装置を説明する過程で説明する。
【００４２】
なお、ファクシミリ機としての画像処理装置は、当然、送受信機能を有しているが、説明の便宜上、送信側の画像処理装置Ａは送信機能を中心に、受信側の画像処理装置Ｂは受信機能を中心にして説明する。
【００４３】
図１において、本発明に係る送信側の画像処理装置Ａは、バス７を介して接続された画像読込手段９、記憶手段１１、パターン情報検知手段１３、画像データ変換手段１５、レポート作成手段１７、印刷手段１９、送信手段２１、操作表示手段２３、インターフェース手段２５およびこれらを制御する制御手段２７を有して構成されている。
【００４４】
画像読込手段９は、制御手段２７の制御の下、例えば印刷された複数頁の原稿を光学的に自動的に読み込み、フィルタ処理、変倍処理、γ処理および階調処理等をして電子的画像データを生成する公知のファクシミリ機の読取り手段やスキャナーであり、生成した画像データが原稿の頁毎に記憶手段１１に順次記憶されるようになっている。記憶手段１１については後述する。
【００４５】
画像読込手段９は、複数頁の原稿を自動的に給紙読み込む自動給紙機構を有するが、公知のものであるから図示および説明を省略する。
【００４６】
パターン情報検知手段１３は、制御手段２７の制御の下、記憶手段１１に記憶された画像データを頁単位で読出し、画像データ中に複写禁止頁を示すパターン情報が存在するか否かを検知し、そのパターン情報の存在が検知されたとき、その複写禁止頁が含まれている旨を示す連絡情報、例えば複写禁止頁の頁番号等を生成して出力する機能を有している。
【００４７】
画像データ中における複写禁止頁を示すパターン情報５は、例えば上述した図８および図９に示したように、小さなドットｄ１の背景領域３ａ中に、大きなドットｄ２で複写禁止を示す「複写禁止」といったメッセージ情報３ｂが埋め込まれて形成されており、画像読込手段９で読み込まれたとき、背景領域３ａ中に埋め込んだメッセージ情報３ｂが図８Ｂに示すように黒く浮かび上がるようになっている。
【００４８】
なお、背景領域３ａのドットｄ１と複写禁止を示すメッセージ情報３ｂのドットｄ２を逆にすれば、背景領域３ａが浮かび上がる一方、メッセージ情報３ｂが白抜き状態になる。
【００４９】
パターン情報検知手段１３は、例えば、背景領域３ａから公知のパターンマッチング法によってドットｄ１を検知し、所定の面積内でのドット数をカウンタ処理してドット密度を算出する一方、パターン情報領域から同様のパターンマッチング法によってドットｄ２を検知し、所定の面積内でのドット数をカウンタ処理してパターン情報５のドット密度を算出し、例えば記憶手段１１に予め設定記憶された同一性判断の許容値となる閾値（基準ドット密度）とそれら算出ドット密度を比較し、閾値（基準ドット密度）内に含まれていると判定した場合、パターン情報５の存在を検出する。
【００５０】
画像データ変換手段１５は、その複写禁止頁に係る画像データについて、当該頁全体を白色にした白紙画像データに変換するとともに、白紙画像データを記憶手段１１に置き換え格納する機能、すなわち複写禁止頁に係る画像データの内容を出力させない出力規制手段としての機能を有している。
【００５１】
画像データ変換手段１５は、その複写禁止頁に係る画像データについて、例えば図８Ａに示すように、灰色のように同一濃度の画像データに変換することも可能である。
【００５２】
レポート作成手段１７は、パターン情報検知手段１３から得られた連絡情報に基づき、その複写禁止頁に係る管理用レポート２９を作成し、記憶手段１１内の該当画像データ全体の前又は後に添付して格納する機能を有している。すなわち、先頭頁又は最終頁にして格納するものである。
【００５３】
レポート作成手段１７で作成するレポート２９は、図２に示すように、「複写禁止頁が含まれています。」といった複写禁止頁の存在説明、複写物中の複写禁止頁の位置（第○頁）等、原稿の一部又は全部に複写禁止頁が含まれている旨の内容を有している。
【００５４】
印刷手段１９は、画像データについてパターン情報５の検知やレポート２９の作成処理後に、制御手段２７の制御の下、記憶手段１１からのレポート２９を含む画像データその他を印刷する公知のモノクロ又はカラー印刷エンジンである。
【００５５】
送信手段２１は、制御手段２７の制御の下、指定された回線番号に対し、記憶手段１１からの連絡情報を含む画像データその他を符号化してネットワーク３１から公知のファクシミリ送信する通信機能を有している。
【００５６】
本発明に係る送信側の画像処理装置Ａは、ネットワーク３１を介して受信側（送信先）の画像処理装置Ｂとしてのファクシミリ機に接続されており、送信手段２１は、受信側の画像処理装置Ｂにて使用される送受信プロトコルと同じプロトコルを持ち、それら連絡情報を含む画像データその他を符号化して画像処理装置Ｂにファクシミリ送信する機能を有している。
【００５７】
インターフェース手段２５は、後述する画像処理プログラムを格納する例えばハードディスク（ＨＤＤ）、ＵＳＢメモリ、フレキシブルディスクその他公知の外部記憶媒体３３に対し、制御手段２７の制御の下、その画像処理プログラムの読出を制御する入出力制御部である。
【００５８】
操作表示手段２３は、送信原稿の読取り開始指示入力、上述した閾値（基準ドット密度）等の設定の他、ファクシミリ送信先の回線番号や送信指示の入力の他、それらの動作状態を表示する機能を有し、当該装置本体ケース（図示せず。）に配置された表示手段と入力手段を兼ねた液晶タッチパネルからなり、制御手段２７によって制御される。
【００５９】
制御手段２７は、上述したように、バス７を介して接続された画像読込手段９、記憶手段１１、パターン情報検知手段１３、画像データ変換手段１５、レポート作成手段１７、印刷手段１９、送信手段２１、操作表示手段２３およびインターフェース手段２５の機能を制御するＣＰＵ等であり、それらの一部を実質的に構成している場合もある。
【００６０】
記憶手段１１は、制御手段２７の動作プログラムを格納する他、上述したように、生成した画像データ、連絡情報、閾値（基準ドット密度）、変換画像データ、ファクシミリ送信先等を格納する機能を有する読み書き可能なメモリである。
【００６１】
次に、本発明に係る送信側の画像処理装置Ａの動作を図３のフローチャートおよび図４の動作概念図を参照して説明する。
【００６２】
プログラムが開始されると、ステップＳ１において送信原稿としての複数頁の用紙１を画像読込手段９で読み込むとともに画像データを順次生成する画像読込処理を実行し、ステップＳ２にてその画像データを記憶手段１１に記憶する記憶処理を実行し、続くステップＳ３にて画像データ中に複写禁止を示すパターン情報５が存在するか否かパターン情報検知手段１３にてパターン情報検知処理を実行する。
【００６３】
全ての画像データ中にパターン情報５が存在せずにステップＳ３がＮＯの場合には、ステップＳ６に移る。
【００６４】
全ての画像データ中の何れかの頁にパターン情報５が存在してステップＳ３がＹＥＳの場合には、ステップＳ４にて上述した複写禁止頁に係る連絡情報を作成し、画像データ全体の前後に添付記憶する処理を実行する。
【００６５】
続くステップＳ５において、複写禁止頁の画像データを同一濃度、例えば白紙画像データに変換する変換処理と、それを記憶手段１１中の該当頁と置き換える記憶処理を実行する。
【００６６】
ステップＳ６では、それら連絡情報を含む画像データをファクシミリ送信処理して終了する。
【００６７】
例えば、図４に示すように、読み込まれた用紙１中に「ＡＢＣ」と表示された複写禁止頁がある場合、連絡情報が形成される一方、当該複写禁止頁が白紙画像データに変換されるとともに、これを含む画像データに連絡情報を添付して送信手段２１から所定のプロトコルで送信される。
【００６８】
なお、受信側のファクシミリ機Ｂにおいては、受信された画像データおよびこの画像データの先頭又は最後に連続して添付された連絡情報が印刷出力されるが、詳細は後述する。
【００６９】
送信元においては、操作表示手段２３から、例えばレポート２９の印刷を指示すると、当該レポート２９が印刷手段１９から印刷出力されるとともに、操作表示手段２３にも表示される。なお、自動的に当該レポート２９が印刷や表示されるよう設定可能である。
【００７０】
そして、それらの実行処理が本発明に係る画像処理プログラムであり、本発明に係る記憶媒体３３はそれら画像処理プログラムを格納したものである。
【００７１】
このように本発明に係る送信側の画像処理装置Ａは、原稿を読み込んで画像データを生成する画像読込手段９と、生成された画像データを記憶する記憶手段１１と、記憶された画像データ中に複写禁止頁を示すパターン情報が存在するか否かを検知し、そのパターン情報の存在が検知されたとき複写禁止頁が含まれる旨を示す連絡情報を出力するパターン情報検知手段１３と、検出された複写禁止頁を同一濃度例えば白紙の画像データに変換する画像データ変換手段１５と、連絡情報を印刷する印刷手段１９と、その画像データおよび連絡情報をネットワークを介し受信側機器で扱うプロトコルと同じプロトコルでファクシミリ送信する送信手段２１とを具備している。
【００７２】
そのため、原稿から画像データが読み込まれた場合、連絡情報の印刷出力を介して送信側においても当該複写禁止頁の存在や位置を判別し易いし、ファクシミリの受信者側に対して複写禁止頁の存在や位置を簡単に送信可能となる。
【００７３】
しかも、当該複写禁止頁が白紙画像データで送信されるから、複写禁止頁内容の判別が視覚的に判別困難となってその複写流出を防ぐことが容易であるし、ファクシミリ機等の不具合ではないことも判別し易い。
【００７４】
さらに、連絡情報が当該複写禁止頁の頁数等を内容とするから、当該複写禁止頁の存在や位置を判別し易い。
【００７５】
ところで、本発明の画像処理装置においては、上述して画像データ変換手段１５のように複写禁止頁の画像データを白色化して白紙画像データに変換する構成に限定されず、例えば灰色その他の同一濃度の画像データに変換する構成も可能であるうえ、パターン情報検知手段１３についても、複写禁止頁を検知したとき、当該複写禁止頁の画像データ内容を出力させない等の出力規制をする画像データ規制手段であっても良い。すなわち、複写禁止頁の白色化や同一濃度への変換も画像データ内容の出力規制と考えられる。
【００７６】
また、印刷手段１９も、必ずしも読み込んだ画像データ、連絡情報又はレポート２９の双方を印刷する必要はなく、レポート２９が適当な手段で表示されれば必須ではない。
【００７７】
次に、本発明に係る受信側の画像処理装置Ｂを説明する。
【００７８】
図５において、本発明に係る受信側の画像処理装置Ｂは、バス３７を介して接続された画像読込手段３９、記憶手段４１、パターン情報検知手段４３、画像データ変換手段４５、レポート作成手段４７、印刷手段４９、受信手段５１、操作表示手段５３、インターフェース手段５５およびこれらを制御する制御手段５７を有して構成されている。
【００７９】
画像読込手段３９、記憶手段４１、パターン情報検知手段４３、画像データ変換手段４５、インターフェース手段５５の機能動作は、上述した送信側の画像処理装置Ａのそれとほぼ同様であるから、詳細な説明は省略する。
【００８０】
受信手段５１は、制御手段５７の制御の下、送信元の画像処理装置Ａにて使用される送受信プロトコルと同じプロトコルで連絡情報を含む画像データその他をファクシミリ受信して記憶手段４１に格納する機能の他、記憶手段４１、パターン情報検知手段４３、画像データ変換手段４５から出力された連絡情報を含む画像データその他を符号化し、同じプロトコルで画像処理装置Ａにファクシミリ送信する通信機能を有している。
【００８１】
レポート作成手段４７は、制御手段５７の制御の下、受信し記憶された連絡情報に基づき、その複写禁止頁に係る図２と同様な管理用レポートを画像作成し、記憶手段４１内の該当画像データ全体の前又は後に添付して格納する機能を有している。すなわち、先頭頁又は最終頁にして格納するものである。
【００８２】
印刷手段４９は、画像データについてレポートの作成処理後に、制御手段５７の制御の下、記憶手段４１からのレポートを含む画像データその他を印刷する公知のモノクロ又はカラー印刷エンジンである。レポートは画像データの先頭頁又は最終頁に連続して印刷される。
【００８３】
操作表示手段５３は、ファクシミリ受信状態の表示の他、送信原稿の読取り開始指示入力、上述した閾値（基準ドット密度）等の設定、ファクシミリ送信先の回線番号や送信指示入力、それらの動作状態を表示する機能を有し、当該装置本体ケース（図示せず。）に配置された表示手段と入力手段を兼ねた液晶タッチパネルからなり、制御手段５７によって制御される。
【００８４】
制御手段５７は、上述したように、バス３７を介して接続された画像読込手段３９、記憶手段４１、パターン情報検知手段４３、画像データ変換手段４５、レポート作成手段４７、印刷手段４９、受信手段５１、操作表示手段５３およびインターフェース手段５５の機能を制御するＣＰＵ等であり、それらの一部を実質的に構成している場合もある。
【００８５】
記憶手段４１は、制御手段５７の動作プログラムを格納する他、上述したように、受信した画像データ、連絡情報およびレポートの他、生成した画像データや連絡情報、閾値（基準ドット密度）、変換画像データ、ファクシミリ送信先等を格納する機能を有する読み書き可能なメモリである。
【００８６】
次に、本発明に係る受信側の画像処理装置Ｂの動作を図６のフローチャートおよび図７の動作概念図を参照して説明する。
【００８７】
プログラムが開始されてファクシミリ着信があると、ステップＳ１１において画像データや連絡情報等を所定のプロトコルで受信処理実行し、ステップＳ１２にてその画像データ等を記憶手段４１に記憶する記憶処理を実行し、続くステップＳ１３にて受信データ中に連絡情報が存在するか否か検知処理を実行する。
【００８８】
連絡情報が存在せずにステップＳ１３がＮＯの場合には、ステップＳ１５に移る。
【００８９】
連絡情報が存在してステップＳ１３がＹＥＳの場合には、ステップＳ１４にて上述した複写禁止頁に係るレポートを作成するレポート作成処理を実行するとともに、画像データ全体の前後に添付記憶する処理を実行する。
【００９０】
続くステップＳ１５において、記憶されたそれらレポートを含む画像データを印刷処理して終了する。
【００９１】
例えば、図７に示すように、受信手段５１で画像データおよび連絡情報が受信され、レポート作成手段４７にて連絡情報から複写禁止頁に関するレポートが作成され、印刷手段４９にて、それら白紙頁を含む画像データとレポートが印刷される。
【００９２】
そして、それらの実行処理が本発明に係る受信側の画像処理プログラムであり、本発明に係る記憶媒体３３はそれら画像処理プログラムを格納したものである。
【００９３】
ところで、受信側の画像処理装置Ｂにおける画像データや連絡情報のファクシミリ送信機能は送信側の画像処理装置Ａと同様であるし、送信側の画像処理装置Ａにおける画像データや連絡情報のファクシミリ受信機能は受信側の画像処理装置Ｂと同様である。
【００９４】
すなわち、上述した説明では、図１の画像処理装置Ａを送信側として、図５の画像処理装置Ｂを受信側のものとしたが、上述した説明からも分かるように、図１の画像処理装置Ａおよび図５の画像処理装置Ｂは同一の機器内に構成されており、同種の同じプロトコルでデータを送受信する機器Ａ、Ｂをネットワーク３１を介して接続し、これら画像処理装置Ａ、Ｂの間で画像データをファクシミリ送受信することになる。
【００９５】
画像処理装置Ａの送信手段２１、レポート作成手段１７および印刷手段１９等が、画像処理装置Ｂの受信手段５１、レポート作成手段４７および印刷手段４９等の機能を有する訳である。
【００９６】
このように本発明に係る受信側の画像処理装置Ｂは、ネットワーク３１を介し画像データとこの画像データ中に複写禁止頁が含まれる旨の連絡情報とを送信側機器で扱うプロトコルと同じプロトコルでファクシミリ受信する受信手段５１と、受信された連絡情報からその複写禁止頁に係るレポートを作成するレポート作成手段４７と、その画像データおよびレポートを記憶する記憶手段４１と、記憶された画像データおよびレポートを印刷する印刷手段４９とを具備している
【００９７】
そのため、原稿をファクシミリ受信したとき、複写禁止頁に係るレポートが印刷出力されるから、ファクシミリの受信者側においてそれを確認することが可能となり、送信される原稿中に複写禁止頁の存在や位置を明示的に確認可能となる。
【００９８】
しかも、その複写禁止頁を示すレポートが画像データの前又は後に連続印刷されるから、複写禁止頁の存在や位置を一層明示的に確認可能となる。
【００９９】
さらに、上記画像データおよびレポートが表示されるから、受信原稿中に複写禁止頁があることを明示的かつ簡易的に把握し易い。
【０１００】
ところで、本発明の画像処理装置Ｂにおいて、受信手段５１、レポート作成手段４７、記憶手段４１および印刷手段４９を具備して構成すれば、本発明の目的達成が可能であり、必ずしも画像読込手段３９、パターン情報検知手段４３、画像データ変換手段４５、操作表示手段５３やインターフェース手段５５は必須ではないし、記憶手段４１についても生成された画像データを読み書き可能に格納可能なものであれば本発明の目的達成が可能である。
【０１０１】
さらに、上述した本発明の画像処理装置Ａ、Ｂにおいて、画像読込手段９、３９、記憶手段１１、４１、パターン情報検知手段１３、４３、画像データ変換手段１５、４５、レポート作成手段１７、４７、印刷手段１９、４９、送信手段２１、受信手段５１、制御手段２７、５７は、必ずしもバス７、３７を介して接続される構成に限らず、画像読込手段９、３９としてのスキャナー、記憶手段１１、４１、パターン情報検知手段１３、４３および画像データ変換手段１５、４５としてのパソコン、印刷手段１９、４９としてのプリンタを例えばネットワークを介して接続した構成においても実施可能である。
【０１０２】
また、本発明に係る送信側の画像処理プログラムにおいて、上記複写禁止頁を同一濃度データに変換する画像データ変換処理を実行する構成、連絡情報を複写禁止頁の内容とする構成では、画像処理装置Ａと同様な効果を得ることができる。
【０１０３】
さらに、本発明に係る受信側の画像処理プログラムにおいて、レポートを受信画像データの前後に連続印刷する構成、受信画像データや生成レポートを表示実行する構成では、画像処理装置Ｂと同様な効果を得ることができる。
【０１０４】
そして、本発明におけるパターン情報検知方法は、上述したように背景領域３ａから公知のパターンマッチング法によってドットパターンを検知するとともに所定の面積内でのドット密度を算出し、閾値（基準ドット密度）と比較してパターン情報５の有無を検知する手法の他、ドットパターンを形成するドット寸法の大小、ドット形状や配列方法の差異によって検知可能であるし、単にドットの有無等によって検知する等、種々の手法が適用可能である。
【０１０５】
また、本発明においては、ファクシミリ通信に限らず、インターネット・ファクシミリ（ＩＰ−ＦＡＸ）にも実施可能である。
【図面の簡単な説明】
【０１０６】
【図１】本発明に係る画像処理装置の実施の一形態を示すブロック図である。
【図２】本発明におけるレポートを説明する図である。
【図３】図１の画像処理装置の動作を説明するフローチャートである。
【図４】図１の画像処理装置の動作を説明する動作概念図である。
【図５】本発明に係る画像処理装置の他の実施の一形態を示すブロック図である。
【図６】図５の画像処理装置の動作を説明するフローチャートである。
【図７】図５の画像処理装置の動作を説明する動作概念図である。
【図８】複写禁止を示すパターン情報を埋め込んだ用紙を説明する図である。
【図９】複写禁止頁を表現するドットパターンを説明する図である。
【符号の説明】
【０１０７】
１  用紙
１ａ、１ｂ  複写物
３ａ  背景領域
３ｂ  メッセージ情報
５  パターン情報
７、３７  バス
９、３９  画像読込手段
１１、４１  記憶手段
１３、４３  パターン情報検知手段
１５、４５  画像データ変換手段（画像データ規制手段）
１７、４７  レポート作成手段
１９、４９  印刷手段
２１  送信手段（通信手段）
２３、５３  操作表示手段
２５、５５  インターフェース手段
２７、５７  制御手段
２９  レポート
３１  ネットワーク
３３  記録媒体
５１  受信手段（通信手段）
Ａ、Ｂ  画像処理装置（ファクシミリ機）
ｄ１、ｄ２  ドット
【図１】
2008135924.tif 000003
【図２】
2008135924.tif 000004
【図３】
2008135924.tif 000005
【図４】
2008135924.tif 000006
【図５】
2008135924.tif 000007
【図６】
2008135924.tif 000008
【図７】
2008135924.tif 000009
【図８】
2008135924.tif 000010
【図９】
2008135924.tif 000011